(57)【要約】【課題】  和服の良いところと、洋服の良いところをそれぞれ取り入れ、デザインや実用性にも優れ、簡単に着ることができ、着たとき動きやすいとともに、そのデザインも立体感があってシルエットが美しい服を提供することを目的とする。【解決手段】  上半身に着る上衣であって、上記上衣は、前身頃、脇、後身頃の片身３面体となっているとともに、袖の肩傾斜が３０°以上となっている。また、上記後身頃は、裾すぼまりの後中心となっている。そして、前身頃の肩傾斜に比べて後身頃の肩傾斜がきつくなっている。【選択図】  図１
0003210755.tif 000002
【実用新案登録請求の範囲】
【請求項１】
上半身に着る上衣であって、
上記上衣は、前身頃、脇、後身頃の片身３面体となっている、
ことを特徴とする服。
【請求項２】
袖の肩傾斜が３０°以上となっている、
請求項１記載の服。
【請求項３】
上記後身頃は、裾すぼまりの後中心となっている、
請求項１又は２記載の服。
【請求項４】
前身頃の肩傾斜に比べて後身頃の肩傾斜がきつくなっている、
請求項１〜３のいずれかに記載の服。
【請求項５】
上記上衣に加えて、上衣の下に着る下着をさらに有しており、
上記下着には、半衿が付けられており、この半衿は面ファスナーによって少なくとも一部が着脱自在となっている、
請求項１〜４のいずれかに記載の服。
【請求項６】
上記上衣に加えて、ズボンを有している、
請求項１〜５のいずれかに記載の服。
【考案の詳細な説明】
【技術分野】
【０００１】
本考案は、簡単に着ることができ、動きやすいとともに、そのデザインも立体感があってシルエットが美しい服に関する。特に、和服の様な日本的な印象を与えつつ、現代の生活様式にフィットしたモダンなデザインと機能性を実現できる服に関する。
【背景技術】
【０００２】
日本では、正装として和服が広く知られている。しかし、和服では、身体を包むための布を裁断し、それを縫製するため、不要な布が多量に縫い込まれている。そのため、和服を着は、かなりの重量となり、これを着ると身体の諸動作が極端に制限されてしまう。
さらに着物を円形の身体に添えて着るためには、着付けなどの面倒な着方を覚えなければならないだけでなく、紐類等の付属品が必要となり、これら着付け技術を習得しなくてはならないというような問題があった。
【０００３】
上記のような問題を解決するため、様々な服が既に提案されている。
その一つとして、上衣の後身頃に上に二ツ折にできるように挾み部を取りつけようにすることで、帯が不要な和服が提案されている（特許文献１）。
また、上衣下衣の二部式にて下衣に紐通しを後の腰部に二ツ折に出来る挾部を設けることで、帯が不要であるから和服を簡単に着用でききる和服が提案されている（特許文献２）。
さらに、衿を和服本体の前身頃の下端まで平行に延長する様に縫い付けられた衿衽と、身体に合わせて和服本体の前後のウエスト対応個所に夫々形成された腰揚と、衿と衽下がりの剣先から及び該衿と該前身頃との間に、従来の衽が縫い付けられている様に腰揚まで延長して直結且つ摘み縫いして設けられた衽付けと、後身頃のウエスト対応部の僅かに上で、背中心から横方向２／３の巾位置に夫々形成されたタックと、腰揚の裏側で該衽付けの下端に、一端のみを縫い付けられた腰紐とを有する改良和服が提案されている（特許文献３）
【０００４】
【特許文献１】実用新案登録第３００２５０６号
【特許文献２】実用新案登録第３０１５１１９号
【特許文献３】実公平７ー２１５２５号
【考案の概要】
【考案が解決しようとする課題】
【０００５】
しかしながら、従来の服は、帯などが不要になり簡単に着ることができ、着たとき動きやすいとともに、そのデザインも立体感があってシルエットが美しいものではなかった。
【０００６】
そこで、本考案は、和服の良いところと、洋服の良いところをそれぞれ取り入れ、デザインや実用性にも優れ、簡単に着ることができ、着たとき動きやすいとともに、そのデザインも立体感があってシルエットが美しい服を提供することを目的とする。
【課題を解決するための手段】
【０００７】
上記目的を達成するため、本考案に係る服は、上半身に着る上衣であって、上記上衣は、前身頃、脇、後身頃の片身３面体となっていることを特徴とする。
【０００８】
袖の肩傾斜が３０°以上となっていてもよい。
【０００９】
上記後身頃は、裾すぼまりの後中心となっていてもよい。
【００１０】
前身頃の肩傾斜に比べて後身頃の肩傾斜がきつくなっていてもよい。
【００１１】
上記上衣に加えて、上衣の下に着る下着をさらに有しており、上記下着には、半衿が付けられており、この半衿は面ファスナーによって少なくとも一部が着脱自在となっていてもよい。
【００１２】
上記上衣に加えて、ズボンを有してもよい。
【考案の効果】
【００１３】
本考案に係る服によれば、和服と洋服の良いところを取り入れることで、簡単に着ることができ、着たとき動きやすいとともに、そのデザインも立体感があって美しいシルエットを実現できる。
【図面の簡単な説明】
【００１４】
【図１】本考案の第１の実施形態に係る服を示した全体斜視図。
【図２】第１の実施形態に係る上衣の正面図。
【図３】第１の実施形態に係る上衣の展開図。
【図４】第１の実施形態に係る上衣の背面図。
【図５】第１の実施形態に係る上衣の側面図。
【図６】第１の実施形態に係る下着を示した全体斜視図。
【図７】第１の実施形態に係る下着の正面図。
【図８】第１の実施形態に係る下着の背面図。
【図９】第１の実施形態に係る下着の別の例を示した正面図。
【図１０】第１の実施形態に係るズボンの正面図。
【図１１】第２の実施形態に係る服を示した全体斜視図。
【図１２】第２の実施形態に係る上衣の一部拡大図。
【図１３】第２の実施形態に係るズボンの正面図。
【図１４】第３の実施形態にかかる服を示した全体斜視図。
【図１５】第３の実施形態に係る上衣の正面図。
【図１６】第４の実施形態にかかる服を示した全体斜視図。
【考案を実施するための形態】
【００１５】
以下、本考案の実施形態に係る服について、図面を参照して説明する。
まず図１〜図５を参照して、本考案に係る第１の実施形態について説明する。
図１、図２において、本実施形態の服１は、上衣１０とズボン１１から構成されている。
【００１６】
上衣１０は、図２に示すように、上衣１０の前身頃１０１、１０２の右脇下部分には帯ベルト用の紐通し１０３が形成されている。この紐通し１０３は、垂直方向に開口しており、これに図示したようにリボンを通して巻くことができるようになっている。
また、上衣１０には、衿１０４と、袖１０５が設けられている。
【００１７】
袖１０５の傾斜の肩傾斜（水平方向から袖１０５の傾斜）は、３０°以上となっており、本例では約３５°と肩傾斜がきつくなっている。これにより、ベルトなしでも、全体的にすっきりとしたデザインとなっており、いわゆるおはしょりが不要なすっきりとしたシルエットを実現できる。
【００１８】
また、衿１０４は、図３に示すように、バストラインから３°広げられており、バストダーツも１８°となっている。
【００１９】
この上衣１０は、図３に示すように、後身頃１０６は、身幅が広く、また丈は長く裾すぼまりの後中心となっている。
図３に示すように、前身頃、脇、後身頃の片身３面体でBOX型にすることで、立体感を出すとともに、デザイン性を高めることができる。
これにより、羽織るだけでもきれいな線を出すことができ、簡易でかつ動きやすい高めることができる。また、図示のようにポケット口を付けてもよい。
【００２０】
後身頃１０６は、図４に示すように肩傾斜が２５°となっており、前身頃１０１の肩傾斜と１０°の差ができるようになっている。この肩傾斜の前後差（前身頃１０１に比べて後身頃１０６の肩傾斜がきつい）があることで、袖１０５が前側に傾くため、広目の後ろ身頃と相俟って腕の動きを体に合わせてストレスフリーにすることができる。
また、脇の後ろは、帯リボンが内蔵式となっており、体（半衿Tシャツ）に直接巻き付いている。これにより、どのような体型であってもカバーできるようになっている。
【００２１】
また後身頃１０６は、図３に示すように背丈＋２°加えることで、図５に示すように、横から見たときに羽織のようなシルエットが出せるように、緩やかに傾斜して丸くなるよう立体裁断されている。
そして、袖が前側に傾斜していることと、上述の背中部分が横から見て傾斜し丸くなっていることで、ストレスフリーな腕の動きを実現できる。
【００２２】
このように、実施例１では、胴着に立体裁断を取り入れることで、和服にはないデザイン性を出すともに、羽織るだけでも簡単に着こなすことができるようになる。
また、和服と洋服との裁断を取り入れることで、デザイン性と機能性を併せ持つことができる。
そのため、平服としてだけでなく、白い半衿と組み合わせることで、和服のように式典などでも着用できるデザイン性を出すことができる。
また、簡単に着こなせるだけでなく、肩傾斜をきつくすることで、洋服のように体にあったストレスフリーな袖付とすることができ、洋服のデザイン性も取り入れることができる。
【００２３】
図６〜図８は上記上衣１０の下に着る半衿付きのＴシャツ（下着）１２を表している。このＴシャツ１２は７分袖であって、このＴシャツ１２に半衿１２１が付けられている。Ｔシャツの身頃は、天竺ジャージーであってもよいし、縮み楊柳であってもよい。
【００２４】
半衿１２１はその襟元に面ファスナー１２２、１２３が取り付けられている。これにより着ている時はしっかりと半衿１２１を押さえることができるとともに、脱ぐときには面ファスナー１２２，１２３を外して、少なくとも半衿１２１の一部を外すことで、簡単に脱ぐことができる。
また、半衿１２１自体が、Ｔシャツにまつり糸により縫い付けられているため、これを解くことで半衿１２１を広げて、プレスを当てることができ、衿端折山がふんわりとした感じで蘇らせ、お手入れをすることができる。
また、身頃を緩めて、着丈を長くすることもできる。
また、半衿端から呉服の半衿用芯（プラスティック製の半衿芯）の出し入れができ、衿元をすっきりと決めることができる。
【００２５】
また、図９に示すように、Ｔシャツ１２をタンクトップタイプの下着としてもよい。この場合も、袖がないだけで、その他は同じである。
【００２６】
また、図１０にはズボン１１を示す。このズボン１１は腰元にゴムが入ったゴムパンツである。また、図１０の例では、前中央部のギャザーはなくした形となっている。
このようなズボン１１とすることで、簡単に脱いだり、着たりすることができるとともに、洋服のスタイリッシュなデザインとともに活動性を取り入れることができる。
【００２７】
上述の第１の実施形態によれば、上衣は立体的なＢＯＸ形となっており、また肩傾斜をきつくし、バストダーツを入れることから、和服の良さと洋服の良さをそれぞれ取り込み、立体感を出し、和服と洋服の良いところを取り入れることで、簡単に着ることができ、着たとき動きやすいとともに、そのデザインも立体感があって美しいシルエットを実現できる。
【００２８】
次に第２の実施形態について図１１〜図１３を参照して説明する。
第２の実施形態では、胴着タイプのものである。なお、上述の実施形態と同じ構成のものは、同じ符号を付して説明を省略する。
【００２９】
この例では、肩傾斜が前身頃は３５°、後身頃は２５°としている。この肩傾斜の前後差により、袖が前に振られて動き易くなっている。
重ね着は、半衿Ｔシャツの他、普通のＴシャツやシャツを重ねてもよく、コーディネートの幅が広いタイプとなっている。
紐を脇結びのリボンにして、図１２に示すように左身頃は裏のリボン通し布を通して前端から出るようし、右身頃では脇の通し穴からリボンが表出するようになっている。
また、パンツ１１は図１３に示すように野袴タイプで、裾を絞っている。
【００３０】
また、図１４、図１５は身頃続きの衿とした変形例であり、身頃続きの衿とし、また袖付線を移動させたこと以外は、上述の図２と同様な構成である。
また、図１６に示すように、上衣の丈を短く構成してもよい。
【符号の説明】
【００３１】
１          服
１０        上衣
１１        ズボン
１０１      前身頃
１０２      前身頃
１０３      紐通し
１０４      衿
１０５      袖
１０６      後身頃
【図１】
0003210755.tif 000003
【図２】
0003210755.tif 000004
【図３】
0003210755.tif 000005
【図４】
0003210755.tif 000006
【図５】
0003210755.tif 000007
【図６】
0003210755.tif 000008
【図７】
0003210755.tif 000009
【図８】
0003210755.tif 000010
【図９】
0003210755.tif 000011
【図１０】
0003210755.tif 000012
【図１１】
0003210755.tif 000013
【図１２】
0003210755.tif 000014
【図１３】
0003210755.tif 000015
【図１４】
0003210755.tif 000016
【図１５】
0003210755.tif 000017
【図１６】
0003210755.tif 000018